(57)【要約】本発明の課題は目視者の疲労を軽減し、立体的二次元画像をより自然に認識できる立体表示装置を得、臨場感、視認性、アミューズメント性を向上させることである。  本発明においては、二次元画像を表示する画像表示面を備えた表示部２７と、画像表示面３１ａに離間配置され、画像表示面３１ａから出射する光を結像して、二次元画像を立体的に表示する画像伝達パネル２９とで画像表示装置２１を構成し、画像伝達パネル２９が相互に所定角度αを成すように複数の画像表示装置２１、２１を設置し、画像表示装置２１、２１の隣り合う一方２１ａに、被写体を２方向の異なる方向から見た一方の画像である第一画像を表示させ、画像表示装置２１、２１の隣り合う他方２１ｂに、前記被写体となる表示対象物を前記２方向の異なる方向から見た他方の画像である第二画像を表示させる。【特許請求の範囲】
【請求項１】
二次元画像を表示する画像表示面を備えた表示部と、前記画像表示面に離間配置され、前記画像表示面から出射する光を結像して、前記表示部とは反対側に位置する空間に立体的二次元画像を表示する画像伝達パネルとで画像表示装置を構成し、
少なくとも二つの前記画像表示装置を有し、
一方の前記画像表示装置の表示部に、表示対象物を二方向の異なる方向から見た一方の画像である第一画像を表示し、
他方の前記画像表示装置の表示部に、前記表示対象物を前記二方向の異なる方向から見た他方の画像である第二画像を表示することを特徴とする立体表示装置。
【請求項２】
前記画像伝達パネルは、マイクロレンズアレイからなることを特徴とする請求項１に記載の立体的二次元画像表示装置。
【請求項３】
前記第一画像は右視点画像であり、
前記第二画像は左視点画像であることを特徴とする請求項１または請求項２に記載の立体表示装置。
【請求項４】
前記画像伝達パネルが相互に所定角度を成すように配置されたことを特徴とする請求項１から請求項３の何れか１項に記載の立体表示装置。
【請求項５】
一方の前記画像表示装置による結像面と、他方の前記画像表示装置による結像面とが重なることを特徴とする請求項１から請求項４の何れか１項に記載の立体表示装置。
【請求項６】
一方の前記画像表示装置による結像面と、他方の前記画像表示装置による結像面とを略同一平面上に形成することを特徴とする請求項１から請求項５の何れか１項に記載の立体表示装置。
【請求項７】
少なくとも二つの前記画像表示装置が、前記表示部を共有することを特徴とする請求項１から請求項６の何れか１項に記載の立体表示装置。
【請求項８】
前記表示部および前記前記画像伝達パネルの少なくとも一方は、視野角を制限する視野角制限手段を備えることを特徴とする請求項１から請求項７の何れか１項に記載の立体表示装置。
【請求項９】
二次元画像を表示する画像表示面を備えた表示部と、前記画像表示面に離間配置され、前記画像表示面から出射する光を結像して、前記表示部とは反対側に位置する空間に立体的二次元画像を表示する画像伝達パネルとで構成される画像表示装置を少なくとも二つ設置し、
一方の前記画像表示装置の表示部に、表示対象物を二方向の異なる方向から見た一方の画像である第一画像を表示し、
他方の前記画像表示装置の表示部に、前記表示対象物を前記二方向の異なる方向から見た他方の画像である第二画像を表示することを特徴とする立体表示方法。
【発明の詳細な説明】
【技術分野】  本発明は、二次元画像を立体的に表示する立体表示装置及び立体表示方法に関する。
【背景技術】  近年、室内装飾器具、販促用ディスプレイ、通信端末装置、ゲーム機器等では、臨場感、視認性、アミューズメント性を向上させる目的で、画像情報を立体的に再現することが種々の方法により試みられている。一般的に人間が対象物を立体視する生理的要因の一つに両眼視差（両眼で立体や遠近を異にする対象を見た時に生ずる視方向の差や両眼間の網膜像の差異）がある。この両眼視差による立体画像の再現法としては、目視者が偏光メガネをかけ、互いに異なった偏光状態に基づく左右の視差画像を目視する偏光方式があるが、目視者にとって偏光メガネの装着がわずらわしい欠点となる。
これに対し、偏光メガネを用いない立体画像表示法としては、レンチキュラーレンズ法が存在する。これは一画面に複数画面を潜像させ、一定幅の半円柱型レンズを水平方向につなぎ合わせた透過スクリーンを通して当該複数画面を見ることで、立体表現や動画表現を可能とする手法である。すなわち、半円柱型レンズの１ピッチ間に対応させて、複数画像の各々を鉛直方向にストライプ状に分断した画像を規則的に配列して、当該画面を見る方向や距離により変化するレンズの焦点位置と、そこに配置した画像の見え方により立体視を実現する。具体的には、立体画像の再現としては目視者の両目に対応した左右２枚の視差画像から交互に配列されたストライプ画像を、レンチキュラーレンズを用いて目視者の両目に供給して立体像を認識させている。
［特許文献１］特開平１０−２２１６４４号公報
上記したレンチキュラーレンズ法は、２枚の視差画像をそれぞれ１画素列に分割し、交互に組合わせて１枚の画像を合成し、レンチキュラーレンズを用いて１組の視差画像からの光をそれぞれ目視者の右眼と左眼の方向に集光させるため、立体画像の横方向の解像度が本来の１画像に対して１／２に半減する。また、レンチキュラーレンズの設計や、レンズと画像との正確な組み合わせ作業が必要となる。
このような不具合を解消するものに、二次元画像をマイクロレンズアレイによって実像として結像させることで、簡単な構成で立体的二次元画像を表示する画像表示装置が提案されている。図１に示すように、この画像表示装置１は、立体像を含む二次元画像を平面状の画像表示面３ａに表示する表示部３と、画像表示面３ａに平行に離間して配置され、複数のレンズからなりかつ二次元画像の中の立体像よりも広い有効面積を有するマイクロレンズアレイ５及びこのマイクロレンズアレイ５の有効領域を包囲するレンズ枠領域７からなり、表示部３とは反対側に位置する空間に二次元画像の実像Ｐの結像面９を生成する画像伝達パネル１１とからなる。この画像表示装置１によれば、非常に簡単な構成で、立体像を含む二次元画像を立体的に表示することが可能となる。また、偏光メガネを必要とすることなく、立体画像の解像度を低下させることもない。
しかしながら、上記した画像表示装置１では、簡易に二次元画像を立体的に表示できるものの、一般的に人間が物体を立体視するための主要な生理的要因である両眼視差を利用するものではなかった。また、レンチキュラーレンズ法では、目の焦点が常に視差画像上に合わさっているにもかかわらず、像がこれとは異なる位置に感じられることから（すなわち、実像を目視していないため）、焦点調節と輻輳とに不一致が生じ、生理学的な不自然さを伴って目視者の疲労が増大した。なお、ここで、輻輳とは、物体の像が網膜の中央に来るように両眼の眼球を内側へ回転させ、その光軸の交差角（輻輳角）が物体までの距離によって異なることに基づき、奥行きを知覚する生理的要因を言う。その結果、従来の画像表示装置１では、奥行き違いを視認させる表現力が不十分となり、立体的二次元画像のより自然な表示に限界があり、十分な臨場感、視認性、アミューズメント性を得ることができなかった。
【発明の開示】
本発明は上記状況に鑑みてなされたもので、目視者の疲労を軽減し、立体的二次元画像をより自然に認識できる立体表示装置を提供し、もって、臨場感、視認性、アミューズメント性の向上を図ることを目的とする。
上記目的を達成するための本発明に係る立体表示装置は、二次元画像を表示する画像表示面を備えた表示部と、前記画像表示面に離間配置され、前記画像表示面から出射する光を結像して、前記表示部とは反対側に位置する空間に立体的二次元画像を表示する画像伝達パネルとで画像表示装置を構成し、少なくとも二つの前記画像表示装置を有し、一方の前記画像表示装置の表示部に、表示対象物を二方向の異なる方向から見た一方の画像である第一画像を表示し、他方の前記画像表示装置の表示部に、前記表示対象物を前記二方向の異なる方向から見た他方の画像である第二画像を表示することを特徴とする。
【図面の簡単な説明】  図１は、従来の画像表示装置の概略構成を表す斜視図である。
図２は、本発明に係る立体表示装置の第１の実施の形態を表す概略構成図である。
図３は、図２に示した画像表示装置の断面図である。
図４は、図３に示したマイクロレンズアレイの部分断面図である。
図５は、図１に示した立体表示装置の動作説明図である。
図６は、本発明に係る立体表示装置の第２の実施の形態の概略構成図である。
図７は、本発明に係る立体表示装置の第３の実施の形態の概略構成図である。
図８は本発明に係る立体表示装置の第４の実施の形態の概略構成図である。
図９は第４の実施の形態の変形例の概略構成図である。
【符号の説明】
なお、図中の符号、２１、２２、２４、２５、２６は画像表示装置、２１ｂ、２２ｂは隣り合う他方、２１ａ、２２ａは隣り合う一方、２７は表示部、２８は一つの表示部、２９は画像伝達パネル、３１ａは画像表示面、４３はマイクロレンズアレイ、５０は視野角制限フィルタ、５３は結像面、６１は左視点画像（一方の画像）、６３は右視点画像（他方の画像）、６５は目視者の認識する表示対象物、７１は非表示領域、１００、２００、３００は立体表示装置、αは所定角度である。
【発明を実施するための最良の形態】  以下、本発明に係る立体表示装置及び立体画像表示方法の好適な実施の形態を図面を参照して説明する。
図２は本発明に係る立体表示装置の第１の実施の形態を表す概略構成図、図３は図２に示した画像表示装置の断面図である。
本実施の形態による立体表示装置１００は、複数の画像表示装置２１（ａ）、２１（ｂ）を設置してなる。図３に示すように、画像表示装置２１は、表示部２７と、画像伝達パネル２９とに大別して構成される。表示部２７は、例えばカラー液晶表示装置（ＬＣＤ）３１を主要部材として備える。（図３参照）
図３においてＬＣＤ３１は、立体像を含む二次元画像を表示する平面状の画像表示面３１ａを有する。ＬＣＤ３１は、画像表示面３１ａのフラットなカラー液晶パネル３３、バックライト照明部３５及びカラー液晶駆動回路３７を備えている。カラー液晶駆動回路３７は、立体像を含む二次元画像のための映像信号を供給する映像信号供給部３９に接続されている。なお、表示部２７には、ＬＣＤ３１に代えて、例えば、陰極線管、プラズマディスプレイ、有機エレクトロルミネッセンスディスプレイなどが用いられても良い。
ＬＣＤ３１の周縁には支持部材４１が固定され、支持部材４１は画像伝達パネル２９を支持している。画像伝達パネル２９は、マイクロレンズアレイ４３と、マイクロレンズアレイ４３の有効領域を囲むレンズ枠体４５からなる。支持部材４１は、レンズ枠体４５を支持し、画像伝達パネル２９をカラー液晶パネル３３の画像表示面３１ａに対して平行に離間配置している。なお、画像伝達パネル２９とカラー液晶パネル３３の画像表示面３１ａは必ずしも並行配置されている必要はない。
マイクロレンズアレイ４３の有効面積は、カラー液晶パネル３３の画像表示面３１ａの面積と同一か、それ以上とされている。レンズ枠体４５は、黒色などの暗色を呈し、マイクロレンズアレイ４３の存在を目視者が意識する度合を抑制している。
図４は図３に示したマイクロレンズアレイの部分断面図である。
マイクロレンズアレイ４３は、二次元的に配置した複数の微小レンズから構成されている。マイクロレンズアレイ４３は、レンズアレイ半体４７ａ、４７ｂを２枚一組で一体化したマイクロ凸レンズ板である。マイクロ凸レンズ板では、各光軸が同軸に配置された１対の凸レンズからなるレンズ系の複数が、それら光軸が互いに平行となるように、二次元状に配列されている。
図４の右側のレンズアレイ半体４７ａのレンズ面と結像面５３との距離Ｌ２は、同図左側のレンズアレイ半体４７ｂのレンズ面とカラー液晶パネル３３との距離Ｌ１と概ね等しいか、もしくはマイクロレンズアレイの構成（例えば異なる曲率のレンズを組み合わせるなど）によっては距離Ｌ２を距離Ｌ１より長くすることも可能である。これにより、結像面５３は、画像伝達パネル２９より十分離間され、かつ画像表示装置２１の奥行きもコンパクトにすることができる。
マイクロレンズアレイ４３は、表示部２７の前面に対して、略凸レンズ５２の作動距離Ｌ１だけ離れた位置に配置されると、表示部２７と反対側の作動距離Ｌ２だけ離れる結像面５３に、表示部２７上に表示された画像を投影する。この投影された画像は二次元画像であるが、その画像が奥行き感を持つもの（立体的）である場合、空間上に浮いて表示されていることから、ユーザーからはあたかも立体画像が映し出されているように見える。以下、本明細書では、結像面５３に表示される二次元画像を立体的二次元画像と称す。
なお、表示部２７に表示された二次元画像は、一方のレンズアレイ半体４７ｂを通過する際に一旦逆さに反転されるが、再び他方のレンズアレイ半体４７ａを通過することで再び反転される。これにより、画像伝達パネル２９は、表示部２７に表示された二次元画像を結像面５３上に正立の立体的二次元画像として表示することができる。
また、上記の実施の形態において、マイクロレンズアレイ４３は、レンズアレイ半体４７ａ、４７ｂを二枚一組で一体化させるとしたが、必ずしもこのような構成でなくてもよい。例えば、マイクロレンズアレイ半体を一枚や三枚で構成することもできる。但し、マイクロレンズアレイを構成するレンズの一つ一つがそれぞれ結像する画像が反転して表示される場合は、表示部２７の一つの表示画素に対して一つのレンズを割り当てるようにマイクロレンズアレイを構成する必要がある。
このように、立体表示装置１００は、画像を表示する画像表示面３１ａを備えた表示部２７と、画像表示面３１ａから出射する光を画像表示面３１ａに離間配置され、画像表示面３１ａから出射する光を結像して二次元画像を立体的に表示する画像伝達パネル２９とで画像表示装置２１を構成し、画像伝達パネル２９又は画像伝達パネル２９の延長線が相互に１８０度より小さい所定角度αを成すように２つの画像表示装置２１、２１を設置している。画像伝達パネル及びマイクロレンズアレイは必ずしも相互に接して配置されている必要はない。画像表示装置２１、２１は、それぞれの映像信号供給部３９から、それぞれのカラー液晶駆動回路３７へ異なる映像信号が供給される。なお、複数の立体表示装置１００を設置し、それらを制御する制御部を設けてもよい。
ここで、立体感を誘引する主な因子としては、両眼視差、焦点調節、輻輳、運動視差を挙げることができ、このなかでも両眼視差は近距離において奥行き知覚のもっとも重要な要因となる。そこで、立体表示装置１００においては、画像表示装置２１、２１の隣り合う一方２１ａの表示部２７に、表示対象物を２方向の異なる方向から見た一方の画像である第一画像（左視点画像）が表示され、画像表示装置２１、２１の隣り合う他方２１ｂの表示部２７に、表示対象物を２方向の異なる方向から見た他方の画像である第二画像（右視点画像）が表示されるように、それぞれのカラー液晶駆動回路３７に映像信号供給部３９から第一画像用、第二画像用の映像信号が供給されるようになっている。
次に、上記した立体表示装置の作用を、画像表示方法に基づいて説明する。
図５は図１に示した立体表示装置の動作説明図である。
立体表示装置１００では、それぞれの画像表示装置２１、２１によって左視点画像６１、右視点画像６３が結像面５３、５３に立体的二次元画像として形成される。したがって、表示対象物体６５の左側から見た第一画像（左視点画像６１）と右側から見た第二画像（右視点画像６３）を、それぞれ目視者の左眼ＥＬ、右眼ＥＲに見せることで、目視者の脳内で処理が行われて奥行き感のある一つの画像が合成されることになる。この際、本実施の形態による立体表示装置１００では、それぞれの左視点画像６１、右視点画像６３が結像面５３に形成される立体的二次元画像として目視されることとなる。
したがって、この立体表示装置１００によれば、画像伝達パネル２９が相互に所定角度αを成すように複数の画像表示装置２１、２１を設置し、画像表示装置２１、２１の隣り合う一方２１ａに、表示対象物体６５を２方向の異なる方向から見た一方の画像（左視点画像６１）が表示され、画像表示装置２１、２１の隣り合う他方２１ｂに、表示対象物体６５を２方向の異なる方向から見た他方の画像（右視点画像６３）が表示されるので、違った方向から見る２つの異なる像が、立体的な実像として結像面５３に形成され、左右の目のそれぞれが異なる立体的二次元画像をとらえることとなる。したがって、焦点調節と輻輳との不一致が軽減され、従来のレンチキュラーレンズを用いて視差画像から右眼と左眼の方向に集光させる方式に比べ、自然で疲れ難い立体画像を表示させることができる。なお、立体的二次元画像である左視点画像６１、右視点画像６３はそれぞれ狭い視野角を有しているため、左視点画像６１は目視者の左眼で、右視点画像６３は目視者の右目で適切に認識できるため、立体的二次元画像をより自然に認識できる。これにより、両眼視差を利用し、目視者の疲労を軽減すると共に、立体的二次元画像をより自然に認識でき、臨場感、視認性、アミューズメント性をさらに向上させることができる。
次に、本発明に係る立体表示装置の第２の実施の形態を説明する。
図６は本発明に係る立体表示装置の第２の実施の形態の概略構成図である。
この実施の形態による立体表示装置２００は、隣り合う一対の画像表示装置２２、２２のうち、一方の画像表示装置２２ａによる結像面５３と、他方の画像表示装置２２ｂによる結像面５３とが同一平面状（若しくは近接した平行面状）となるように、それぞれの画像表示装置２２、２２における表示部２７と画像伝達パネル２９とが非平行に配設されている。その他の構成は、上記の立体表示装置１００と同一である。
したがって、この立体表示装置２００によれば、隣り合う一対の画像表示装置２２、２２のうち、一方の画像表示装置２２ａによる結像面５３と、他方の画像表示装置２２ｂによる結像面５３とが同一平面状となるように、それぞれの画像表示装置２２、２２における表示部２７と画像伝達パネル２９とが非平行に配設されたので、違った方向から見る２つの異なる二次元画像が斜めに結像される。これにより、立体的な実像を同一平面上に重ねて表示でき、実像からなる１組の視差画像を高解像度で形成することができる。
次に、本発明に係る立体表示装置の第３の実施の形態を説明する。
図７は本発明に係る立体表示装置の第３の実施の形態の概略構成図である。
この実施の形態による立体表示装置３００は、隣り合う一対の画像表示装置２４、２４が、同一平面状の画像表示面３１ａを有する一つの表示部２８を共有して構成され、画像伝達パネル２９、２９又はその延長線が相互に所定角度αを成すように配置されている。また、表示部２８における画像表示面３１ａの中央部には非表示領域７１が設けられる。この非表示領域７１を挟む画像表示面３１ａの一方の表示領域には、表示対象物体を２方向の異なる方向から見た一方の画像（左視点画像６１）が表示され、非表示領域７１を挟む画像表示面３１ａの他方の表示領域には、表示対象物体を２方向の異なる方向から見た他方の画像（右視点画像６３）が表示される。
したがって、この立体表示装置３００によれば、隣り合う一対の画像表示装置２４、２４が、同一平面状の画像表示面３１ａを有する一つの表示部２８を共有して構成され、画像伝達パネル２９又はその延長線が所定角度αを成すように配置されるので、表示部２８及びこの表示部２８に画像表示を行わせるカラー液晶駆動回路３７及び映像信号供給部３９を単一にでき、装置コストを安価にすることができる。
また、単一となった表示部２８における表示不要領域７１の表示機能を省略することで、単一に形成した表示部２８の製造コストをさらに安価にすることができる。
次に、本発明に係る立体表示装置の第４の実施の形態を説明する。
図８は本発明に係る立体表示装置の第４の実施の形態の概略構成図である。
この実施の形態による立体表示装置４００は、隣り合う一対の画像表示装置２５、２５における画像伝達パネル２９の前方（結像面５３側）に、視野角制限手段である視野角制限フィルタ５０が配設されている。その他の構成は、立体表示装置１００と同一である。
視野角制限フィルタ５０は、右視点画像が左眼ＥＬに入らないように、また、左視点画像が右眼ＥＲに入らないように、不要な角度の光を制限するためのものである。
画像表示装置の視野角によっては、右視点画像が左眼ＥＬに、左視点画像が右眼ＥＲに漏れ込む可能性があったが、上記のように視野角制限フィルタ５０を設けたことにより、これを防止することができ、目視者がクリアに立体的二次元画像を視認することが可能となる。
なお、視野角制限手段としては、視野角を制限するためのフィルタもしくはスリット、絞り等を用いることができる。
また、図９は第４の実施の形態の変形例の概略構成図である。
この変形例による立体表示装置５００は、視野角制限手段である視野角制限フィルタ５０が、隣り合う一対の画像表示装置２６、２６における表示部２７の前方（画像伝達パネル２９側）に設けられたものである。
この立体表示装置５００は、上記立体表示装置４００と同様の作用効果を奏するものである。
本出願は、２００４年３月１２日出願の日本特許出願（特願２００４−７１１０７）、に基づくものであり、その内容はここに参照として取り込まれる。
【図１】
2005088386.tif 000002
【図２】
2005088386.tif 000003
【図３】
2005088386.tif 000004
【図４】
2005088386.tif 000005
【図５】
2005088386.tif 000006
【図６】
2005088386.tif 000007
【図７】
2005088386.tif 000008
【図８】
2005088386.tif 000009
【図９】
2005088386.tif 000010
【手続補正書】
【提出日】平成17年10月28日(2005.10.28)
【手続補正１】
【補正対象書類名】特許請求の範囲
【補正対象項目名】全文
【補正方法】変更
【補正の内容】
【書類名】請求の範囲
【請求項１】二次元画像を表示する画像表示面を備えた表示部と、前記画像表示面に離間配置され、前記画像表示面から出射する光を結像して、前記表示部とは反対側に位置する空間に立体的二次元画像を表示する画像伝達パネルとで画像表示装置を構成し、
少なくとも二つの前記画像表示装置を有し、
一方の前記画像表示装置の表示部に、表示対象物を二方向の異なる方向から見た一方の画像である第一画像を表示し、
他方の前記画像表示装置の表示部に、前記表示対象物を前記二方向の異なる方向から見た他方の画像である第二画像を表示し、
前記一方の前記画像表示装置による結像面と、前記他方の前記画像表示装置による結像面とが所定の角度をもって交差するように前記画像表示装置が配置されていることを特徴とする立体表示装置。
【請求項２】前記画像伝達パネルは、マイクロレンズアレイからなることを特徴とする請求項１に記載の立体的二次元画像表示装置。
【請求項３】前記第一画像は右視点画像であり、
前記第二画像は左視点画像であることを特徴とする請求項１または請求項２に記載の立体表示装置。
【請求項４】前記画像伝達パネルが相互に所定角度を成すように配置されたことを特徴とする請求項１から請求項３の何れか１項に記載の立体表示装置。
【請求項５】一方の前記画像表示装置による結像面と、他方の前記画像表示装置による結像面とを略同一平面上に形成することを特徴とする請求項１から請求項４の何れか１項に記載の立体表示装置。
【請求項６】少なくとも二つの前記画像表示装置が、前記表示部を共有することを特徴とする請求項１から請求項５の何れか１項に記載の立体表示装置。
【請求項７】前記表示部および前記前記画像伝達パネルの少なくとも一方は、視野角を制限する視野角制限手段を備えることを特徴とする請求項１から請求項６の何れか１項に記載の立体表示装置。
【請求項８】二次元画像を表示する画像表示面を備えた表示部と、前記画像表示面に離間配置され、前記画像表示面から出射する光を結像して、前記表示部とは反対側に位置する空間に立体的二次元画像を表示する画像伝達パネルとで構成される画像表示装置を少なくとも二つ設置し、
一方の前記画像表示装置の表示部に、表示対象物を二方向の異なる方向から見た一方の画像である第一画像を表示し、
他方の前記画像表示装置の表示部に、前記表示対象物を前記二方向の異なる方向から見た他方の画像である第二画像を表示し、
前記一方の前記画像表示装置による結像面と、前記他方の前記画像表示装置による結像面とが所定の角度をもって交差するように前記画像表示装置が配置されることを特徴とする立体表示方法。
【手続補正２】
【補正対象書類名】明細書
【補正対象項目名】０００３
【補正方法】変更
【補正の内容】
【０００３】
［発明の開示］
本発明は上記状況に鑑みてなされたもので、目視者の疲労を軽減し、立体的二次元画像をより自然に認識できる立体表示装置を提供し、もって、臨場感、視認性、アミューズメント性の向上を図ることを目的とする。
上記目的を達成するための本発明に係る立体表示装置は、二次元画像を表示する画像表示面を備えた表示部と、前記画像表示面に離間配置され、前記画像表示面から出射する光を結像して、前記表示部とは反対側に位置する空間に立体的二次元画像を表示する画像伝達パネルとで画像表示装置を構成し、少なくとも二つの前記画像表示装置を有し、一方の前記画像表示装置の表示部に、表示対象物を二方向の異なる方向から見た一方の画像である第一画像を表示し、他方の前記画像表示装置の表示部に、前記表示対象物を前記二方向の異なる方向から見た他方の画像である第二画像を表示し、前記一方の前記画像表示装置による結像面と、前記他方の前記画像表示装置による結像面とが所定の角度をもって交差するように前記画像表示装置が配置されていることを特徴とする。
［図面の簡単な説明］
図１は、従来の画像表示装置の概略構成を表す斜視図である。
図２は、本発明に係る立体表示装置の第１の実施の形態を表す概略構成図である。
図３は、図２に示した画像表示装置の断面図である。
図４は、図３に示したマイクロレンズアレイの部分断面図である。
図５は、図１に示した立体表示装置の動作説明図である。
図６は、本発明に係る立体表示装置の第２の実施の形態の概略構成図である。
図７は、本発明に係る立体表示装置の第３の実施の形態の概略構成図である。
図８は本発明に係る立体表示装置の第４の実施の形態の概略構成図である。
図９は第４の実施の形態の変形例の概略構成図である。
なお、図中の符号、２１、２２、２４、２５、２６は画像表示装置、２１ｂ、２２ｂは隣り合う他方、２１ａ、２２ａは隣り合う一方、２７は表示部、２８は一つの表示部、２９は画像伝達パネル、３１ａは画像表示面、４３はマイクロレンズアレイ、５０は視野角制限フィルタ、５３は結像面、６１は左視点画像（一方の画像）、６３は右視点画像（他方の画像）、６５は目視者の認識する表示対象
【国際調査報告】
2005088386.tif 000011
2005088386.tif 000012